(57)【要約】【課題】コンテンツの続き再生を適切に行うことができる「コンテンツ再生装置およびこれを備えたコンテンツ再生システム」を提供すること。【解決手段】ラストコンテンツがビデオコンテンツの場合には、ビデオ用レジューム情報記憶手段１９によって記憶されたビデオ用レジューム情報を用いて、当該ビデオコンテンツのレジューム再生を行い、ラストコンテンツがオーディオコンテンツの場合には、オーディオ用レジューム情報を携帯型コンテンツ再生装置３から取得し、取得されたオーディオ用レジューム情報を用いて、オーディオコンテンツのレジューム再生を行うレジューム再生手段７，１７を備えたこと。【選択図】図１
2010009688.tif 000002
【特許請求の範囲】
【請求項１】
携帯型コンテンツ再生装置との間における通信可能状態において、当該携帯型コンテンツ再生装置が保有するコンテンツを当該携帯型コンテンツ再生装置から取得して再生することが可能とされたコンテンツ再生装置であって、
前記通信可能状態を終了させる第１の操作が行われた後に、前記通信可能状態とされていた前記携帯型コンテンツ再生装置との間における前記通信可能状態を復帰させる第２の操作が行われた場合に、前記第１の操作が行われる直前に再生されていたコンテンツであるラストコンテンツを当該コンテンツの再生の停止の際における再生位置から引き続き再生する処理であるレジューム再生を行うレジューム再生手段と、
前記ラストコンテンツがビデオコンテンツの場合に、このビデオコンテンツの前記レジューム再生に要する情報であるビデオ用レジューム情報のうち、少なくとも、前記第２の操作が行われた際に前記携帯型コンテンツ再生装置から取得することが不可能とみなされている所定のビデオ用レジューム情報を、前記コンテンツの再生停止の際に記憶するビデオ用レジューム情報記憶手段と
を備え、
前記レジューム再生手段は、
前記ラストコンテンツがビデオコンテンツの場合には、前記ビデオ用レジューム情報記憶手段によって記憶されたビデオ用レジューム情報を用いて、当該ビデオコンテンツの前記レジューム再生を行い、
前記ラストコンテンツがオーディオコンテンツの場合には、当該オーディオコンテンツの前記レジューム再生に要する情報であるオーディオ用レジューム情報を前記携帯型コンテンツ再生装置から取得し、前記オーディオ用レジューム情報を用いて、当該オーディオコンテンツの前記レジューム再生を行うこと
を特徴とするコンテンツ再生装置。
【請求項２】
前記第１の操作は、電源をオン状態からオフ状態へと切り替える操作とされ、
前記第２の操作は、前記第１の操作によってオフ状態へと切り替えられた前記電源を、オン状態へと切り替える操作とされていること
を特徴とする請求項１に記載のコンテンツ再生装置。
【請求項３】
前記携帯型コンテンツ再生装置は、前記コンテンツ再生装置本体と有線による接続が可能とされており、
前記第１の操作は、前記コンテンツ再生装置本体と前記携帯型コンテンツ再生装置との接続を切断する操作とされ、
前記第２の操作は、前記第１の操作によって切断された前記コンテンツ再生装置本体と前記携帯型コンテンツ再生装置とを再接続する操作とされていること
を特徴とする請求項１に記載のコンテンツ再生装置。
【請求項４】
前記ビデオ用レジューム情報記憶手段は、前記コンテンツの再生停止の際に、前記ビデオ用レジューム情報を、前記携帯型コンテンツ再生装置の識別情報と対応させた状態として前記識別情報とともに記憶し、
前記レジューム再生手段は、
コンテンツ再生装置本体に対して任意の携帯型コンテンツ再生装置を通信可能状態とする操作が行われた場合に、前記任意の携帯型コンテンツ再生装置の識別情報が前記ビデオ用レジューム情報記憶手段に記憶されている場合には、前記任意の携帯型コンテンツ再生装置を通信可能状態とする操作が前記第２の操作であるとみなして、前記ビデオ用レジューム情報記憶手段によって記憶されている前記任意の携帯型コンテンツ再生装置に対応するビデオ用レジューム情報を用いた前記ビデオコンテンツのレジューム再生を行うこと
を特徴とする請求項１乃至請求項３のいずれか１項に記載のコンテンツ再生装置。
【請求項５】
前記ビデオ用レジューム情報記憶手段は、前記コンテンツの再生停止の際に再生されていた前記ビデオコンテンツのファイルを、前記所定のビデオ用レジューム情報として記憶すること
を特徴とする請求項１乃至請求項４のいずれか１項に記載のコンテンツ再生装置。
【請求項６】
前記レジューム再生手段は、前記ラストコンテンツがビデオコンテンツの場合には、前記ビデオ用レジューム情報記憶手段によって記憶された前記所定のビデオ用レジューム情報としての前記ファイルと、前記携帯型コンテンツ再生装置から取得された他のビデオ用レジューム情報としての前記コンテンツの再生停止の際における前記ファイルの再生時間とを用いて、前記ビデオコンテンツのレジューム再生を行うこと
を特徴とする請求項５に記載のコンテンツ再生装置。
【請求項７】
前記オーディオ用レジューム情報は、前記コンテンツの再生停止の際における前記オーディオコンテンツの再生位置に関する情報であること
を特徴とする請求項１乃至請求項６のいずれか１項に記載のコンテンツ再生装置。
【請求項８】
携帯型コンテンツ再生装置と、
前記携帯型コンテンツ再生装置との間における通信可能状態において、当該携帯型コンテンツ再生装置が保有するコンテンツを当該携帯型コンテンツ再生装置から取得して再生することが可能とされたコンテンツ再生装置と
を備えたコンテンツ再生システムであって、
前記コンテンツ再生装置は、
前記通信可能状態を終了させる第１の操作が行われた後に、前記通信可能状態とされていた前記携帯型コンテンツ再生装置との間における前記通信可能状態を復帰させる第２の操作が行われた場合に、前記第１の操作が行われる直前に再生されていたコンテンツであるラストコンテンツを当該コンテンツの再生の停止の際における再生位置から引き続き再生する処理であるレジューム再生を行うレジューム再生手段と、
前記ラストコンテンツがビデオコンテンツの場合に、このビデオコンテンツの前記レジューム再生に要する情報であるビデオ用レジューム情報のうち、少なくとも、前記第２の操作が行われた際に前記携帯型コンテンツ再生装置から取得することが不可能とみなされている所定のビデオ用レジューム情報を、前記コンテンツの再生停止の際に記憶するビデオ用レジューム情報記憶手段と
を備え、
前記レジューム再生手段は、
前記ラストコンテンツがビデオコンテンツの場合には、前記ビデオ用レジューム情報記憶手段によって記憶されたビデオ用レジューム情報を用いて、当該ビデオコンテンツの前記レジューム再生を行い、
前記ラストコンテンツがオーディオコンテンツの場合には、前記携帯型コンテンツ再生装置に記憶されている前記オーディオ用レジューム情報を前記携帯型コンテンツ再生装置から取得し、前記オーディオ用レジューム情報を用いて、当該オーディオコンテンツの前記レジューム再生を行い、
前記携帯型コンテンツ再生装置は、
前記所定のビデオ用レジューム情報については、前記コンテンツの再生停止の際に記憶するものの、前記第２の操作が行われた際に消去されることによって当該所定のビデオ用レジューム情報の前記コンテンツ再生装置による取得が不可能なように形成され、オーディオコンテンツの前記レジューム再生に要する情報であるオーディオ用レジューム情報については、前記コンテンツの再生停止の際に記憶した後、前記第２の操作が行われた際にも記憶しておくことが可能に形成されたレジューム情報管理手段を備えたこと
を特徴とするコンテンツ再生システム。
【請求項９】
前記第１の操作は、電源をオン状態からオフ状態へと切り替える操作とされ、
前記第２の操作は、前記第１の操作によってオフ状態へと切り替えられた前記電源を、オン状態へと切り替える操作とされていること
を特徴とする請求項８に記載のコンテンツ再生システム。
【請求項１０】
前記携帯型コンテンツ再生装置は、前記コンテンツ再生装置と有線による接続が可能とされており、
前記第１の操作は、前記コンテンツ再生装置と前記携帯型コンテンツ再生装置との接続を切断する操作とされ、
前記第２の操作は、前記第１の操作によって切断された前記コンテンツ再生装置と前記携帯型コンテンツ再生装置とを再接続する操作とされていること
を特徴とする請求項８に記載のコンテンツ再生システム。
【請求項１１】
前記ビデオ用レジューム情報記憶手段は、前記コンテンツの再生停止の際に、前記ビデオ用レジューム情報を、前記携帯型コンテンツ再生装置の識別情報と対応させた状態として前記識別情報とともに記憶し、
前記レジューム再生手段は、
コンテンツ再生装置に対して任意の携帯型コンテンツ再生装置を通信可能状態とする操作が行われた場合に、前記任意の携帯型コンテンツ再生装置の識別情報が前記ビデオ用レジューム情報記憶手段に記憶されている場合には、前記任意の携帯型コンテンツ再生装置を通信可能状態とする操作が前記第２の操作であるとみなして、前記ビデオ用レジューム情報記憶手段によって記憶されている前記任意の携帯型コンテンツ再生装置に対応するビデオ用レジューム情報を用いた前記ビデオコンテンツのレジューム再生を行うこと
を特徴とする請求項８乃至請求項１０のいずれか１項に記載のコンテンツ再生システム。
【請求項１２】
前記ビデオ用レジューム情報記憶手段は、前記コンテンツの再生の停止の際に再生されていた前記ビデオコンテンツのファイルを、前記所定のビデオ用レジューム情報として記憶すること
を特徴とする請求項８乃至請求項１１のいずれか１項に記載のコンテンツ再生システム。
【請求項１３】
前記レジューム再生手段は、前記ラストコンテンツがビデオコンテンツの場合には、前記ビデオ用レジューム情報記憶手段によって記憶された前記所定のビデオ用レジューム情報としての前記ファイルと、前記携帯型コンテンツ再生装置から取得された他のビデオ用レジューム情報としての前記コンテンツの再生の停止の際における前記ファイルの再生時間とを用いて、前記ビデオコンテンツのレジューム再生を行うこと
を特徴とする請求項１２に記載のコンテンツ再生システム。
【請求項１４】
前記オーディオ用レジューム情報は、前記コンテンツの再生の停止の際における前記オーディオコンテンツの再生位置に関する情報であること
を特徴とする請求項８乃至請求項１４のいずれか１項に記載のコンテンツ再生システム。
【発明の詳細な説明】
【技術分野】
【０００１】
本発明は、コンテンツ再生装置およびこれを備えたコンテンツ再生システムに係り、特に、コンテンツのレジューム再生を行うのに好適なコンテンツ再生装置およびこれを備えたコンテンツ再生システムに関する。
【背景技術】
【０００２】
従来から、車載用や家庭用のコンテンツ再生装置においては、例えば、ナビゲーションの映像・音声、ＤＶＤに記憶された映画、地上波デジタル放送およびラジオ放送等の種々のコンテンツを再生することが可能とされていた。
【０００３】
また、コンテンツ再生装置の中には、ｉＰｏｄ（商標）等の携帯型コンテンツ再生装置（いわゆるポータブルメディアプレーヤ）が接続可能とされたものも採用されており、この種のコンテンツ再生装置においては、接続された携帯型コンテンツ再生装置自らが再生可能なものとして保有しているコンテンツを、当該携帯型コンテンツ再生装置から取得し、取得されたコンテンツをコンテンツ再生装置側で再生することが可能とされていた。
【０００４】
【特許文献１】特開２００７−３２３７８９号公報
【発明の開示】
【発明が解決しようとする課題】
【０００５】
ここで、図３は、従来から使用されているコンテンツ再生装置の一例としての車載用コンテンツ再生装置の使用態様を例示したものである。
【０００６】
すなわち、従来から、車載用コンテンツ再生装置においては、図３のステップ１（ＳＴ１）に示すように、携帯型コンテンツ再生装置が保有するコンテンツ（ビデオコンテンツ）としての映画を車載用コンテンツ再生装置側で再生して視聴している途中で、図３のステップ２（ＳＴ２）に示すように、車両のアクセサリ電源（Ａｃｃ）をオフにし、その後、図３のステップ３（ＳＴ３）に示すように、再びアクセサリ電源をオンにして映画の続きを視聴しようとする場合が珍しくなかった。また、車載用コンテンツ再生装置側で映画を再生して視聴している途中で、図３のステップ４（ＳＴ４）に示すように、携帯型コンテンツ再生装置を車載用コンテンツ再生装置から一旦取り外した（切断した）後に、図３のステップ５（ＳＴ５）に示すように、再び接続して映画の続きを視聴しようとする場合もあった。
【０００７】
ここで、図４は、このような場合における車載用コンテンツ再生装置の処理工程の一例として、携帯型コンテンツ再生装置がＵＳＢ等によって有線接続されている車載用コンテンツ再生装置の処理工程を示したものである。
【０００８】
すなわち、図４のステップ１１（ＳＴ１１）に示すように、まず、車載用コンテンツ再生装置は、携帯型コンテンツ再生装置から取得したコンテンツの再生中に、携帯型コンテンツ再生装置を取り外す（切断する）操作またはアクセサリ電源（Ａｃｃ）をオフにする操作が行われたことを検出すると、続くステップ１２（ＳＴ１２）において、コンテンツの再生を停止する。
【０００９】
次いで、ステップ１３（ＳＴ１３）において、車載用コンテンツ再生装置は、ステップ１１（ＳＴ１１）において検出された操作と逆の操作、すなわち、車載用コンテンツ再生装置に携帯型コンテンツ再生装置を再接続する操作またはアクセサリ電源を再びオンにする（再起動する）操作が行われたことを検出した上で、ステップ１４（ＳＴ１４）に進む。
【００１０】
次いで、ステップ１４（ＳＴ１４）においては、携帯型コンテンツ再生装置と車載用コンテンツ再生装置との間の通信を確立させるための内部処理である初期設定処理を行う。
【００１１】
次いで、ステップ１５（ＳＴ１５）において、車載用コンテンツ再生装置は、携帯型コンテンツ再生装置に対して再生コマンドを送信して、携帯型コンテンツ再生装置からコンテンツの取得を再開することによって、コンテンツの再生を再開する。
【００１２】
ただし、このとき、再生されるコンテンツは、携帯型コンテンツ再生装置に依存しており、ステップ１２（ＳＴ１２）の際に再生されていたラストコンテンツが再生されるとは限らなかった。
【００１３】
このように、従来は、携帯型コンテンツ再生装置の再接続やアクセサリ電源の再起動が行われた場合に最初に再生されるコンテンツは、携帯型コンテンツ再生装置側の構成に委ねらていたため、例えば、図３のステップ１（ＳＴ１）の時点で映画が再生されていたとしても、図３のステップ６（ＳＴ６）においては、映画の続きではなく音楽の先頭から再生が開始されてしまうことが多かった。
【００１４】
したがって、従来の車載用コンテンツ再生装置においては、携帯型コンテンツ再生装置の切断やアクセサリ電源のオフ等のコンテンツの再生中における所定の操作によってコンテンツの再生が停止した場合に、停止時における再生位置からのコンテンツの続き再生を適切に行うことができないといった問題が生じていた。
【００１５】
そこで、本発明は、このような問題点に鑑みなされたものであり、コンテンツの続き再生を適切に行うことができるコンテンツ再生装置およびこれを備えたコンテンツ再生システムを提供することを目的とするものである。
【課題を解決するための手段】
【００１６】
前述した目的を達成するため、本発明に係るコンテンツ再生装置は、携帯型コンテンツ再生装置との間における通信可能状態において、当該携帯型コンテンツ再生装置が保有するコンテンツを当該携帯型コンテンツ再生装置から取得して再生することが可能とされたコンテンツ再生装置であって、前記通信可能状態を終了させる第１の操作が行われた後に、前記通信可能状態とされていた前記携帯型コンテンツ再生装置との間における前記通信可能状態を復帰させる第２の操作が行われた場合に、前記第１の操作が行われる直前に再生されていたコンテンツであるラストコンテンツを当該コンテンツの再生の停止の際における再生位置から引き続き再生する処理であるレジューム再生を行うレジューム再生手段と、前記ラストコンテンツがビデオコンテンツの場合に、このビデオコンテンツの前記レジューム再生に要する情報であるビデオ用レジューム情報のうち、少なくとも、前記第２の操作が行われた際に前記携帯型コンテンツ再生装置から取得することが不可能とみなされている所定のビデオ用レジューム情報を、前記コンテンツの再生停止の際に記憶するビデオ用レジューム情報記憶手段とを備え、前記レジューム再生手段は、前記ラストコンテンツがビデオコンテンツの場合には、前記ビデオ用レジューム情報記憶手段によって記憶されたビデオ用レジューム情報を用いて、当該ビデオコンテンツの前記レジューム再生を行い、前記ラストコンテンツがオーディオコンテンツの場合には、当該オーディオコンテンツの前記レジューム再生に要する情報であるオーディオ用レジューム情報を前記携帯型コンテンツ再生装置から取得し、前記オーディオ用レジューム情報を用いて、当該オーディオコンテンツの前記レジューム再生を行うことを特徴としている。
【００１７】
ここで、ビデオコンテンツとは、例えば、映画のような映像と音声とを内容としたコンテンツをいい、オーディオコンテンツとは、音楽のような音声のみを主たる内容としたコンテンツをいうものとする（以下、同様）。
【００１８】
そして、このような構成によれば、第１の操作の直前に再生されていたラストコンテンツがビデオコンテンツの場合には、第２の操作が行われた際に、コンテンツ再生装置側に記憶されたビデオ用レジューム情報を用いてビデオコンテンツのレジューム再生を行うことができ、また、ラストコンテンツがオーディオコンテンツの場合には、第２の操作が行われた際に、携帯型コンテンツ再生装置から取得されたオーディオ用レジューム情報を用いてオーディオコンテンツのレジューム再生を行うことができるので、コンテンツの続き再生を適切に行うことができる。
【００１９】
また、前記第１の操作は、電源をオン状態からオフ状態へと切り替える操作とされ、前記第２の操作は、前記第１の操作によってオフ状態へと切り替えられた前記電源を、オン状態へと切り替える操作とされていてもよい。
【００２０】
そして、このような構成によれば、コンテンツの再生中にコンテンツ再生装置の電源をオフにし、その後、再びオンにするといった通常行われ得る使用態様に対応したレジューム再生を行うことができる。
【００２１】
さらに、前記携帯型コンテンツ再生装置は、前記コンテンツ再生装置本体と有線による接続が可能とされており、前記第１の操作は、前記コンテンツ再生装置本体と前記携帯型コンテンツ再生装置との接続を切断する操作とされ、前記第２の操作は、前記第１の操作によって切断された前記コンテンツ再生装置本体と前記携帯型コンテンツ再生装置とを再接続する操作とされていてもよい。
【００２２】
そして、このような構成によれば、コンテンツの再生中に携帯型コンテンツ再生装置とコンテンツ再生装置本体とを切断するといった使用態様にも対応したレジューム再生を行うことができる。
【００２３】
さらにまた、前記ビデオ用レジューム情報記憶手段は、前記コンテンツの再生停止の際に、前記ビデオ用レジューム情報を、前記携帯型コンテンツ再生装置の識別情報と対応させた状態として前記識別情報とともに記憶し、前記レジューム再生手段は、コンテンツ再生装置本体に対して任意の携帯型コンテンツ再生装置を通信可能状態とする操作が行われた場合に、前記任意の携帯型コンテンツ再生装置の識別情報が前記ビデオ用レジューム情報記憶手段に記憶されている場合には、前記任意の携帯型コンテンツ再生装置を通信可能状態とする操作が前記第２の操作であるとみなして、前記ビデオ用レジューム情報記憶手段によって記憶されている前記任意の携帯型コンテンツ再生装置に対応するビデオ用レジューム情報を用いた前記ビデオコンテンツのレジューム再生を行うことが好ましい。
【００２４】
そして、このような構成によれば、第１の操作の直前にラストコンテンツを再生していた携帯型コンテンツ再生装置と、第１の操作の後に通信可能状態とされた携帯型コンテンツ再生装置との同一性を確認した上で、より適切なレジューム再生を行うことができる。
【００２５】
また、前記ビデオ用レジューム情報記憶手段は、前記コンテンツの再生停止の際に再生されていた前記ビデオコンテンツのファイルを、前記所定のビデオ用レジューム情報として記憶することが好ましい。
【００２６】
そして、このような構成によれば、ビデオ用レジューム情報としてビデオコンテンツ（ラストコンテンツ）のファイルを用いることにより、簡易な構成によってレジューム再生を適切に行うことができる。
【００２７】
さらに、前記レジューム再生手段は、前記ラストコンテンツがビデオコンテンツの場合には、前記ビデオ用レジューム情報記憶手段によって記憶された前記所定のビデオ用レジューム情報としての前記ファイルと、前記携帯型コンテンツ再生装置から取得された他のビデオ用レジューム情報としての前記コンテンツの再生停止の際における前記ファイルの再生時間とを用いて、前記ビデオコンテンツのレジューム再生を行うようにしてもよい。
【００２８】
そして、このような構成によれば、コンテンツ再生装置本体側では、ビデオ用レジューム情報としてビデオコンテンツのファイルだけをコンテンツの再生停止の際に記憶しておけば、この記憶されたファイルと、携帯型コンテンツ再生装置側から取得された再生時間とを用いることによってレジューム再生を確実に行うことができるので、ビデオ用レジューム情報記憶手段の容量を少なくしてコストを削減することができる。
【００２９】
さらにまた、前記オーディオ用レジューム情報は、前記コンテンツの再生停止の際における前記オーディオコンテンツの再生位置に関する情報であってもよい。
【００３０】
そして、このような構成によれば、簡易な構成によってオーディオコンテンツのレジューム再生を適切に行うことができる。
【００３１】
また、本発明に係るコンテンツ再生システムは、携帯型コンテンツ再生装置と、前記携帯型コンテンツ再生装置との間における通信可能状態において、当該携帯型コンテンツ再生装置が保有するコンテンツを当該携帯型コンテンツ再生装置から取得して再生することが可能とされたコンテンツ再生装置とを備えたコンテンツ再生システムであって、前記コンテンツ再生装置は、前記通信可能状態を終了させる第１の操作が行われた後に、前記通信可能状態とされていた前記携帯型コンテンツ再生装置との間における前記通信可能状態を復帰させる第２の操作が行われた場合に、前記第１の操作が行われる直前に再生されていたコンテンツであるラストコンテンツを当該コンテンツの再生の停止の際における再生位置から引き続き再生する処理であるレジューム再生を行うレジューム再生手段と、前記ラストコンテンツがビデオコンテンツの場合に、このビデオコンテンツの前記レジューム再生に要する情報であるビデオ用レジューム情報のうち、少なくとも、前記第２の操作が行われた際に前記携帯型コンテンツ再生装置から取得することが不可能とみなされている所定のビデオ用レジューム情報を、前記コンテンツの再生停止の際に記憶するビデオ用レジューム情報記憶手段とを備え、前記レジューム再生手段は、前記ラストコンテンツがビデオコンテンツの場合には、前記ビデオ用レジューム情報記憶手段によって記憶されたビデオ用レジューム情報を用いて、当該ビデオコンテンツの前記レジューム再生を行い、前記ラストコンテンツがオーディオコンテンツの場合には、前記携帯型コンテンツ再生装置に記憶されている前記オーディオ用レジューム情報を前記携帯型コンテンツ再生装置から取得し、前記オーディオ用レジューム情報を用いて、当該オーディオコンテンツの前記レジューム再生を行い、前記携帯型コンテンツ再生装置は、前記所定のビデオ用レジューム情報については、前記コンテンツの再生停止の際に記憶するものの、前記第２の操作が行われた際に消去されることによって当該所定のビデオ用レジューム情報の前記コンテンツ再生装置による取得が不可能なように形成され、オーディオコンテンツの前記レジューム再生に要する情報であるオーディオ用レジューム情報については、前記コンテンツの再生停止の際に記憶した後、前記第２の操作が行われた際にも記憶しておくことが可能に形成されたレジューム情報管理手段を備えたことを特徴としている。
【００３２】
そして、このような構成によれば、第１の操作の直前に再生されていたラストコンテンツがビデオコンテンツの場合には、第２の操作が行われた際に、コンテンツ再生装置側に記憶されたビデオ用レジューム情報を用いてビデオコンテンツのレジューム再生を行うことができ、また、ラストコンテンツがオーディオコンテンツの場合には、第２の操作が行われた際に、携帯型コンテンツ再生装置から取得されたオーディオ用レジューム情報を用いてオーディオコンテンツのレジューム再生を行うことができるので、コンテンツの続き再生を適切に行うことができる。
【００３３】
さらに、前記第１の操作は、電源をオン状態からオフ状態へと切り替える操作とされ、前記第２の操作は、前記第１の操作によってオフ状態へと切り替えられた前記電源を、オン状態へと切り替える操作とされていてもよい。
【００３４】
そして、このような構成によれば、コンテンツの再生中にコンテンツ再生装置の電源をオフにし、その後、再びオンにするといった通常行われ得る使用態様に対応したレジューム再生を行うことができる。
【００３５】
さらにまた、前記携帯型コンテンツ再生装置は、前記コンテンツ再生装置と有線による接続が可能とされており、前記第１の操作は、前記コンテンツ再生装置と前記携帯型コンテンツ再生装置との接続を切断する操作とされ、前記第２の操作は、前記第１の操作によって切断された前記コンテンツ再生装置と前記携帯型コンテンツ再生装置とを再接続する操作とされていてもよい。
【００３６】
そして、このような構成によれば、コンテンツの再生中に携帯型コンテンツ再生装置とコンテンツ再生装置とを切断するといった使用態様にも対応したレジューム再生を行うことができる。
【００３７】
また、前記ビデオ用レジューム情報記憶手段は、前記コンテンツの再生停止の際に、前記ビデオ用レジューム情報を、前記携帯型コンテンツ再生装置の識別情報と対応させた状態として前記識別情報とともに記憶し、前記レジューム再生手段は、コンテンツ再生装置に対して任意の携帯型コンテンツ再生装置を通信可能状態とする操作が行われた場合に、前記任意の携帯型コンテンツ再生装置の識別情報が前記ビデオ用レジューム情報記憶手段に記憶されている場合には、前記任意の携帯型コンテンツ再生装置を通信可能状態とする操作が前記第２の操作であるとみなして、前記ビデオ用レジューム情報記憶手段によって記憶されている前記任意の携帯型コンテンツ再生装置に対応するビデオ用レジューム情報を用いた前記ビデオコンテンツのレジューム再生を行うことが好ましい。
【００３８】
そして、このような構成によれば、第１の操作の直前にラストコンテンツを再生していた携帯型コンテンツ再生装置と、第１の操作の後に通信可能状態とされた携帯型コンテンツ再生装置との同一性を確認した上で、より適切なレジューム再生を行うことができる。
【００３９】
さらに、前記ビデオ用レジューム情報記憶手段は、前記コンテンツの再生の停止の際に再生されていた前記ビデオコンテンツのファイルを、前記所定のビデオ用レジューム情報として記憶することが好ましい。
【００４０】
そして、このような構成によれば、ビデオ用レジューム情報としてビデオコンテンツのファイルを用いることにより、簡易な構成によってレジューム再生を適切に行うことができる。
【００４１】
さらにまた、前記レジューム再生手段は、前記ラストコンテンツがビデオコンテンツの場合には、前記ビデオ用レジューム情報記憶手段によって記憶された前記所定のビデオ用レジューム情報としての前記ファイルと、前記携帯型コンテンツ再生装置から取得された他のビデオ用レジューム情報としての前記コンテンツの再生の停止の際における前記ファイルの再生時間とを用いて、前記ビデオコンテンツのレジューム再生を行うようにしてもよい。
【００４２】
そして、このような構成によれば、コンテンツ再生装置側では、ビデオ用レジューム情報としてビデオコンテンツのファイルだけをコンテンツの再生停止の際に記憶しておけば、この記憶されたファイルと、携帯型コンテンツ再生装置側から取得された再生時間とを用いることによってレジューム再生を確実に行うことができるので、ビデオ用レジューム情報記憶手段の容量を少なくしてコンテンツ再生装置側のコストを削減することができる。
【００４３】
また、前記オーディオ用レジューム情報は、前記コンテンツの再生の停止の際における前記オーディオコンテンツの再生位置に関する情報であってもよい。
【００４４】
そして、このような構成によれば、簡易な構成によってオーディオコンテンツのレジューム再生を適切に行うことができる。
【発明の効果】
【００４５】
本発明によれば、コンテンツの続き再生を適切に行うことができる。
【発明を実施するための最良の形態】
【００４６】
以下、本発明の実施形態について、図１および図２を参照して説明する。
【００４７】
図１は、本発明に係るコンテンツ再生システムの一例としての車載用コンテンツ再生システムの実施形態を示したものである。
【００４８】
図１に示すように、本実施形態における車載用コンテンツ再生システム１は、車両に搭載された車載用コンテンツ再生装置２と、この車載用コンテンツ再生装置２との間で通信可能とされた携帯型コンテンツ再生装置３とを備えている。
【００４９】
なお、携帯型コンテンツ再生装置３は、例えば、ｉＰｏｄ（商標）等のポータブルメディアプレイヤであってもよい。
【００５０】
これら車載用コンテンツ再生装置２と携帯型コンテンツ再生装置３とは、ＵＳＢケーブル等の接続手段５によって有線接続可能とされている。そして、本実施形態においては、車載用コンテンツ再生装置２の電源としての車両のアクセサリ電源のオン状態のとき、接続手段５による車載用コンテンツ再生装置２と携帯型コンテンツ再生装置３との接続状態が、車載用コンテンツ再生装置２と携帯型コンテンツ再生装置３との間での通信が可能な通信可能状態とされている。
【００５１】
そして、このような通信可能状態において、車載用コンテンツ再生装置２は、携帯型コンテンツ再生装置３が保有するコンテンツを接続手段５を介して携帯型コンテンツ再生装置３から取得し、取得されたコンテンツを再生することが可能とされている。
【００５２】
すなわち、図１に示すように、車載用コンテンツ再生装置２は、車載側再生処理部７を有しており、この車載側再生処理部７には、車載側ディスプレイ８および車載側スピーカ１０がそれぞれ接続されている。
【００５３】
さらに、車載側再生処理部７には、コンテンツ取得部１１および車載側インターフェース（Ｉ／Ｆ）１２がそれぞれ接続されており、これらコンテンツ取得部１１と車載側インターフェース１２とは、互いに接続されている。
【００５４】
ここで、車載側再生処理部７は、ユーザが、前記通信可能状態において、リモコンやスイッチ等の図示しない入力手段を介して所定のコンテンツの再生を指示すると、当該所定のコンテンツを再生するための再生コマンドを、車載側インターフェース１２に出力するようになっている。そして、車載側インターフェース１２は、車載側再生処理部７から出力された再生コマンドを、接続手段５を通して携帯型コンテンツ再生装置３へと出力するようになっている。
【００５５】
また、図１に示すように、携帯型コンテンツ再生装置３は、携帯側インターフェース（Ｉ／Ｆ）１４を有しており、この携帯側インターフェース１４には、車載側インターフェース１２から出力された再生コマンドが入力されるようになっている。
【００５６】
携帯側インターフェース１４には、コンテンツ送信部１５が接続されており、このコンテンツ送信部１５は、携帯側インターフェース１４に入力された再生コマンドを携帯側インターフェース１４から取得するようになっている。
【００５７】
コンテンツ送信部１５には、コンテンツ記憶部１６が接続されており、このコンテンツ記憶部１６には、携帯型コンテンツ再生装置３が自ら再生可能なものとして保有しているコンテンツが記憶されている。このコンテンツには、映画等のビデオコンテンツと、音楽等のオーディオコンテンツとが含まれている。
【００５８】
コンテンツ送信部１５は、携帯側インターフェース１４から再生コマンドを取得すると、取得された再生コマンドに対応するコンテンツをコンテンツ記憶部１６から取得するようになっている。
【００５９】
そして、コンテンツ送信部１５は、コンテンツ記憶部１６から取得したコンテンツを、携帯側インターフェース１４および接続手段５を介して車載用コンテンツ再生装置２へと送信するようになっている。
【００６０】
コンテンツ送信部１５によって送信されたコンテンツは、車載側インターフェース１２を介してコンテンツ取得部１１によって取得されるようになっている。
【００６１】
さらに、車載側再生処理部７は、コンテンツ取得部１１によって取得されたコンテンツをコンテンツ取得部１１から取得し、取得されたコンテンツを再生するようになっている。これにより、コンテンツが映画等のビデオコンテンツの場合には、その映像部分が車載側ディスプレイ８によって表示され、その音声部分が車載側スピーカ１０によって音声出力されることになる。また、コンテンツがオーディオコンテンツの場合には、このオーディオコンテンツが車載側スピーカ１０によって音声出力されることになる。
【００６２】
このようにして、車載用コンテンツ再生装置２は、通信可能状態において、携帯型コンテンツ再生装置３が保有するコンテンツを再生することができる。
【００６３】
上記構成に加えて、さらに、本実施形態において、車載用コンテンツ再生装置２は、レジューム再生制御部１７を有しており、このレジューム再生制御部１７には、車載側再生処理部７、車載側インターフェース１２およびコンテンツ取得部１１がそれぞれ接続されている。
【００６４】
このレジューム再生制御部１７は、車載側再生処理部７とともにレジューム再生手段を構成しており、これらレジューム再生制御部１７と車載側再生処理部７とによって、車載用コンテンツ再生装置２におけるコンテンツのレジューム再生を行うことが可能とされている。
【００６５】
ここで、前記レジューム再生とは、携帯型コンテンツ再生装置３との前記通信可能状態を終了させる第１の操作が行われた後に、前記通信可能状態とされていた携帯型コンテンツ再生装置３との間における前記通信可能状態を復帰させる第２の操作が行われた場合に、前記第１の操作が行われる直前（本発明においては、第１の操作が行われた時点も含む意義とする）に再生されていたコンテンツであるラストコンテンツを当該ラストコンテンツの再生の停止の際における再生位置から引き続き再生する処理をいう。
【００６６】
なお、前記第１の操作としては、１種類の操作のみではなく複数種類の操作を採用することができる。また、前記第２の操作についても、複数種類の前記第１の操作のぞれぞれと対応関係を有したものとして複数種類の操作を採用することができる。
【００６７】
例えば、１種類目の前記第１の操作としては、車両のアクセサリ電源をオン状態からオフ状態へと切り替える操作を採用することができ、これに対応する１種類目の前記第２の操作としては、前記第１の操作によって前記オフ状態へと切り替えられた前記アクセサリ電源を、オン状態へと切り替える操作を挙げることができる。
【００６８】
また、２種類目の前記第１の操作としては、互いに有線接続されている車載用コンテンツ再生装置２と携帯型コンテンツ再生装置３との接続を切断する操作、換言すれば、携帯型コンテンツ再生装置３を車載用コンテンツ再生装置２から取り外す操作を採用することができ、これに対応する２種類目の前記第２の操作としては、前記第１の操作によって切断された車載用コンテンツ再生装置２と携帯型コンテンツ再生装置３とを再接続する操作を挙げることができる。
【００６９】
なお、前記ラストコンテンツの再生の停止は、前記第１の操作によってなされたものであってもよい。この場合の具体的な例としては、ラストコンテンツとしての映画（ビデオコンテンツ）の再生中に、車両のアクセサリ電源をオフにすることが考えられる。
【００７０】
また、前記ラストコンテンツの再生の停止は、前記第１の操作が行われる前にユーザによって行われた前記第１の操作以外の再生停止操作によってなされたものであってもよい。この場合の具体的な例としては、映画（ビデオコンテンツ）の再生中に、前記第１の操作以外の再生停止操作として、入力手段（例えば、リモコン、ボタン、タッチパネル等）によって映画の再生を停止させる操作を行うことが考えられる。このような前記第１の操作以外の再生停止操作が行われたとしても、通信可能状態すなわちアクセサリ電源のオン状態および携帯型コンテンツ再生装置３の接続状態は維持されることになる。
【００７１】
このように、前記ラストコンテンツの再生の停止が前記第１の操作または前記第１の操作の前に行われた前記第１の操作以外の再生停止操作のいずれによってなされたものであっても、前記ラストコンテンツが前記第１の操作が行われる直前に再生されていたコンテンツであるということに変わりはないものとして扱う。
【００７２】
さらに、本実施形態において、車載用コンテンツ再生装置２は、ビデオ用レジューム情報記憶手段としてのビデオ用レジューム情報記憶部１９を有しており、このビデオ用レジューム情報記憶部１９には、レジューム再生制御部１７が接続されている。
【００７３】
さらにまた、本実施形態における携帯型コンテンツ再生装置３は、携帯側インターフェース１４に接続されたレジューム情報記録部２２およびレジューム情報送信部２１と、これらレジューム情報記録部２２およびレジューム情報送信部２１に接続されたレジューム情報管理手段としての携帯側レジューム情報記憶部２０とを有している。
【００７４】
また、本実施形態において、車載側再生処理部７およびレジューム再生制御部１７は、前記第１の操作が行われたことを検出可能とされている。
【００７５】
車載側再生処理部７は、コンテンツの再生中に前記第１の操作が行われたことを検出した場合には、コンテンツの再生を停止させるようになっている。また、車載側再生処理部７は、コンテンツの再生中に前述した第１の操作以外の再生停止操作が行われた場合にも、コンテンツの再生を停止させるようになっている。
【００７６】
また、レジューム再生制御部１７は、前記第１の操作が行われた際に、前記ラストコンテンツがビデオコンテンツの場合には、このビデオコンテンツの前記レジューム再生に要する情報であるビデオ用レジューム情報を取得し、取得されたビデオ用レジューム情報をビデオ用レジューム情報記憶部１９に記録するようになっている。
【００７７】
なお、レジューム再生制御部１７は、前記第１の操作が行われた際に、前記ラストコンテンツの再生の停止が前記第１の操作によってなされたものであった場合には、コンテンツ取得部１１に取得されているラストコンテンツからビデオ用レジューム情報を取得し、このビデオ用レジューム情報をビデオ用レジューム情報記憶部１９に記録するようにすればよい。
【００７８】
また、レジューム再生制御部１７は、前記第１の操作が行われた際に、前記ラストコンテンツの再生の停止が前記第１の操作の前に行われた前記第１の操作以外の再生停止操作によってなされたものであった場合には、後述する携帯側レジューム情報記憶部２０に記憶されているビデオ用レジューム情報を取得し、このビデオ用レジューム情報をビデオ用レジューム情報記憶部１９に記録するようにすればよい。
【００７９】
あるいは、レジューム再生制御部１７は、車載用コンテンツ再生装置２におけるビデオコンテンツの再生中に、前記第１の操作以外の再生停止操作が行われた際に、この際に再生されていたビデオコンテンツを前記ラストコンテンツとみなして、このビデオコンテンツをラストコンテンツとしたレジューム再生に要するビデオ用レジューム情報をビデオ用レジューム情報記憶部１９に記録するように構成してもよい。ただし、この場合には、当該第１の操作以外の再生停止操作の後に前記第１の操作が実際に行われて初めて、前記第１の操作以外の再生停止操作が行われた際に再生されていたビデオコンテンツが本発明におけるラストコンテンツに該当するものとなる。このように、前記第１の操作以外の再生停止操作が行われた際にビデオ用レジューム情報を記録するように構成する場合には、当該第１の操作以外の再生停止操作の後に前記第１の操作が行われた際に、既にビデオ用レジューム情報がビデオ用レジューム情報記憶部１９に記憶されていることになるので、前記第１の操作が行われた際におけるビデオ用レジューム情報の記録は行わなくてもよい。
【００８０】
これにより、ビデオ用レジューム情報記憶部１９は、ラストコンテンツがビデオコンテンツの場合に、ビデオ用レジューム情報を記憶することができるようになっている。
【００８１】
さらに、本実施形態において、レジューム再生制御部１７は、ビデオ用レジューム情報記憶部１９にビデオ用レジューム情報を記録する際に、ビデオ用レジューム情報を、携帯型コンテンツ再生装置３の識別情報と対応させた状態として前記識別情報とともに記録するようになっている。これにより、ビデオ用レジューム情報記憶部１９は、ビデオ用レジューム情報を、識別情報と対応させた状態として記憶するようになっている。
【００８２】
なお、識別情報は、携帯型コンテンツ再生装置３のシリアルナンバーであってもよい。
【００８３】
また、ビデオ用レジューム情報記憶部１９によって記憶されるビデオ用レジューム情報は、ビデオコンテンツのレジューム再生に要する情報のすべて（すべてのビデオ用レジューム情報）であってもよいし、あるいは、前記第２の操作が行われた際に携帯型コンテンツ再生装置３から取得することが不可能とみなされている一部の所定のビデオ用レジューム情報であってもよい。
【００８４】
また、ビデオ用レジューム情報記憶部１９によって記憶されるビデオ用レジューム情報は、第１の操作が行われる直前に車載側再生処理部７によって再生されていたビデオコンテンツのファイル（以下、ラストビデオファイルと称する）であってもよい。このラストビデオファイルは、映画の一作品であってもよい。
【００８５】
さらに、本実施形態において、レジューム情報記録部２２は、前記第１の操作または前記第１の操作以外の再生停止操作によって車載用コンテンツ再生装置２による前記コンテンツの再生が停止すると、この再生の停止を検出するとともに、このとき再生されていたコンテンツを前記ラストコンテンツとして検出するようになっている。
【００８６】
そして、レジューム情報記録部２２は、検出された前記ラストコンテンツから、車載用コンテンツ再生装置３におけるレジューム再生に要するレジューム情報を抽出し、抽出されたレジューム情報を携帯側レジューム情報記憶部２０に記録するようになっている。
【００８７】
具体的には、レジューム情報記録部２２は、前記ラストコンテンツがオーディオコンテンツの場合には、このオーディオコンテンツの車載用コンテンツ再生装置３におけるレジューム再生に要する情報であるオーディオ用レジューム情報を記録するようになっている。
【００８８】
また、レジューム情報記録部２２は、前記ラストコンテンツがビデオコンテンツの場合には、前記ビデオ用レジューム情報を記録するようになっている。なお、このとき記録されるビデオ用レジューム情報は、すべてのビデオ用レジューム情報とされており、前記所定のビデオ用レジューム情報（例えば、前記ラストビデオファイル）も含まれている。すなわち、携帯型コンテンツ再生装置３は、前記第１の操作または前記第１の操作以外の再生停止操作によるコンテンツの再生の停止の際に、前記所定のビデオ用レジューム情報を記憶することが可能とされている。
【００８９】
さらに、本実施形態においては、前記第１の操作または前記第１の操作以外の再生停止操作によるコンテンツの再生の停止後に、車載用コンテンツ再生装置２に対して任意の携帯型コンテンツ再生装置３を通信可能状態とする操作が行われると、車載側インターフェース１２と携帯側インターフェース１４との間において、車載用コンテンツ再生装置２と携帯型コンテンツ再生装置３との通信を確立させるための初期設定処理が行われるようになっている。このことは、前記任意の携帯型コンテンツ再生装置３が前記第１の操作または前記第１の操作以外の再生停止操作によるコンテンツの再生の停止の際に通信可能状態とされていた携帯型コンテンツ再生装置３と同一のものである場合、すなわち、前記任意の携帯型コンテンツ再生装置３を通信可能状態とする操作が前記第２の操作に該当する場合であっても同様である。
【００９０】
そして、本実施形態においては、この初期設定処理により、携帯側レジューム情報記憶部２０によって記憶されているレジューム情報のうち、オーディオコンテンツ（ラストコンテンツ）の再生位置等のオーディオ用レジューム情報と、前記所定のビデオ用レジューム情報以外のビデオ用レジューム情報（例えば、前記第１の操作による再生停止時における前記ラストビデオファイルの再生時間）についてはそのまま記憶され続ける一方で、前記所定のビデオ用レジューム情報については消去されるようになっている。
【００９１】
すなわち、本実施形態においては、携帯型コンテンツ再生装置３が、前記第１の操作または前記第１の操作以外の再生停止操作によるコンテンツの再生の停止の際に、前記所定のビデオ用レジューム情報を記憶することが可能とされているものの、前記第２の操作が行われた際には、当該記憶された所定のビデオ用レジューム情報を消去されるようになっており、これにより、車載用コンテンツ再生装置２は、前記第２の操作が行われた際における携帯型コンテンツ再生装置３側からの前記所定のビデオ用レジューム情報の取得が不可能に形成されている。
【００９２】
しかしながら、本実施形態においては、このように、所定のビデオ用レジューム情報を携帯型コンテンツ再生装置３から取得することができなくても、レジューム再生を適切に行うことができるようになっている。
【００９３】
具体的には、本実施形態において、レジューム再生制御部１７は、前記第１の操作または前記第１の操作以外の再生停止操作による前記コンテンツの再生の停止の後に、車載用コンテンツ再生装置２に対して任意の携帯型コンテンツ再生装置３を通信可能状態とする操作が行われた場合に、この任意の携帯型コンテンツ再生装置３と前記第１の操作または前記第１の操作以外の再生停止操作によるコンテンツの再生の停止の際に前記通信可能状態とされていた携帯型コンテンツ再生装置３との同一性の判定を行うようになっている。
【００９４】
この同一性の判定は、前記任意の携帯型コンテンツ再生装置３の識別情報と、前記ビデオ用レジューム情報記憶部１９によって記憶されている識別情報とを比較し、双方の識別情報が互いに一致するか否かに基づいて行われるようになっている。
【００９５】
そして、この同一性の判定の結果、同一性を肯定する旨の判定結果（すなわち、識別情報が互いに一致する旨の判定結果）が取得された場合には、レジューム再生制御部１７は、前記任意の携帯型コンテンツ再生装置３を通信可能状態とする操作が前記第２の操作であるとみなすことによって、前記第２の操作が行われたことを検出するようになっている。
【００９６】
さらに、レジューム再生制御部１７は、前記第２の操作が行われたことが検出された場合には、前記ラストコンテンツがビデオコンテンツまたはオーディオコンテンツのいずれであったかを判定し、判定結果にしたがったコンテンツのレジューム再生を行うように車載側再生処理部７を制御するようになっている。
【００９７】
そして、車載側再生処理部７は、レジューム再生制御部１７によってビデオコンテンツをレジューム再生するための制御が行われた場合には、ビデオ用レジューム情報記憶部１９に記憶されたビデオ用レジューム情報を用いることによって、ビデオコンテンツのレジューム再生を行うようになっている。具体的には、車載側再生処理部７は、ビデオ用レジューム情報記憶部１９に記憶されたビデオ用レジューム情報を用いることによって、前記第１の操作または前記第１の操作以外の再生停止操作によるコンテンツの再生の停止の際におけるビデオコンテンツおよびその再生位置を特定し、特定されたビデオコンテンツを再生するための再生コマンドを、車載側インターフェース１２を介して携帯型コンテンツ再生装置３側に出力するようになっている。そして、車載側再生処理部７は、この再生コマンドに応答して携帯型コンテンツ再生装置３のコンテンツ送信部１５によって送信されたビデオコンテンツをコンテンツ取得部１１を介して取得し、取得されたビデオコンテンツを、前記特定された再生位置から再生するようになっている。
【００９８】
このとき、ビデオ用レジューム情報記憶部１９に前記所定のビデオ用レジューム情報（例えば、前記ラストビデオファイル）のみを記憶させるような構成を採用する場合には、車載側再生処理部７は、前記所定のビデオ用レジューム情報以外のビデオ用レジューム情報（例えば、前記第１の操作による再生停止時における前記ラストビデオファイルの再生時間）を、携帯型コンテンツ再生装置３の携帯側レジューム情報記憶部２０から取得すればよい。そして、取得されたビデオ用レジューム情報と前記所定のビデオ用レジューム情報との双方を用いて、ビデオコンテンツおよびその再生位置の特定を行うようにすればよい。
【００９９】
このようにして、車載用コンテンツ再生装置２は、前記第２の操作が行われた際に前記所定のビデオ用レジューム情報を携帯型コンテンツ再生装置３から取得することができなくても、ビデオ用レジューム情報記憶部１９に記憶された前記所定のビデオ用レジューム情報を用いることによって、ビデオコンテンツのレジューム再生を適切に行うことができる。
【０１００】
また、この際に、前記任意の携帯型コンテンツ再生装置を通信可能状態とする操作が行われた場合に、前記任意の携帯型コンテンツ再生装置の識別情報がビデオ用レジューム情報記憶部１９に記憶されている場合に、前記任意の携帯型コンテンツ再生装置を通信可能状態とする操作が前記第２の操作であるとみなして、前記任意の携帯型コンテンツ再生装置に対応するビデオ用レジューム情報を用いたレジューム再生を行うことができるので、簡易な手法によって適切なレジューム再生が可能となる。
【０１０１】
一方、レジューム再生制御部１７によってオーディオコンテンツをレジューム再生するための制御が行われた場合には、車載側再生処理部７は、オーディオ用レジューム情報を、携帯型コンテンツ再生装置３の携帯側レジューム情報記憶部２０から取得し、取得されたオーディオ用レジューム情報を用いることによって、オーディオコンテンツのレジューム再生を行うようになっている。具体的には、車載側再生処理部７は、携帯側レジューム情報記憶部２０から取得されたオーディオ用レジューム情報に基づいて、前記第１の操作または前記第１の操作以外の再生停止操作によるコンテンツの再生の停止の際におけるオーディオコンテンツの再生位置を特定し、特定された再生位置からオーディオコンテンツを再生するための再生コマンドを、車載側インターフェース１２を介して携帯型コンテンツ再生装置３側に出力するようになっている。そして、車載側再生処理部７は、この再生コマンドに応答して携帯型コンテンツ再生装置３のコンテンツ送信部１５によって送信されたオーディオコンテンツをコンテンツ取得部１１を介して取得し、取得されたオーディオコンテンツを、特定された再生位置から再生するようになっている。
【０１０２】
したがって、車載用コンテンツ再生装置２は、オーディオコンテンツのレジューム再生についても、携帯型コンテンツ再生装置３側において記憶されているオーディオ用レジューム情報を用いて適切に行うことができる。
【０１０３】
その他、本実施形態において、携帯型コンテンツ再生装置３は、コンテンツ記憶部１６に接続された携帯側再生処理部２４と、この携帯側再生処理部２４にそれぞれ接続された携帯側ディスプレイ２５および携帯側スピーカ２６とを有している。携帯側再生処理部２４は、携帯型コンテンツ再生装置３を単独で使用する際において、ユーザが入力操作によって指定したコンテンツをコンテンツ記憶部１６から取得し、取得されたコンテンツを携帯側ディスプレイ２５および携帯側スピーカ２６を適宜用いて再生するようになっている。
【０１０４】
次に、本実施形態の作用として、車載用コンテンツ再生システム１の動作の一例について説明する。
【０１０５】
なお、初期状態においては、車載側再生処理部７によるコンテンツの再生がなされているものとする。
【０１０６】
そして、初期状態から、図２のステップ２１（ＳＴ２１）に示すように、ユーザが、アクセサリ電源のオフ状態への切り替え、または、携帯型コンテンツ再生装置３の取り外しによって前記第１の操作を行う。
【０１０７】
次いで、ステップ２２（ＳＴ２２）においては、車載側再生処理部７により、コンテンツの再生を停止させる。
【０１０８】
次いで、ステップ２３（ＳＴ２３）においては、レジューム再生制御部１７により、ステップ２２（ＳＴ２２）の際に再生されていた前記ラストコンテンツがビデオコンテンツであるか否かを判定し、ビデオコンテンツである場合には、ステップ２４（ＳＴ２４）に進み、ビデオコンテンツではなくオーディオコンテンツの場合には、ステップ２５（ＳＴ２５）に進む。このとき、ステップ２５（ＳＴ２５）に進む場合には、オーディオ用レジューム情報がレジューム情報記録部２２によって携帯側レジューム情報記憶部２０に記録される。
【０１０９】
次いで、ステップ２４（ＳＴ２４）においては、レジューム再生制御部１７により、ビデオ用レジューム情報を、携帯型コンテンツ再生装置３の識別情報と対応させた状態としてビデオ用レジューム情報記憶部１９に記憶させる（記録する）。
【０１１０】
次いで、ステップ２５（ＳＴ２５）においては、レジューム再生制御部１７により、任意の携帯型コンテンツ再生装置３を通信可能状態とする操作が行われたか否かを判定し、行われた場合には、ステップ２６（ＳＴ２６）に進み、行われていない場合には、ステップ２５（ＳＴ２５）を繰り返す。
【０１１１】
次いで、ステップ２６（ＳＴ２６）においては、車載側インターフェース１２と携帯側インターフェース１４との間で初期設定処理を行う。このとき、前記ラストコンテンツがビデオコンテンツの場合には、携帯側レジューム情報記憶部２０に記録された前記所定のビデオ用レジューム情報は消去されることになる。
【０１１２】
次いで、ステップ２７（ＳＴ２７）においては、レジューム再生制御部１７により、ステップ２５（ＳＴ２５）において通信可能状態とされた前記任意の携帯型コンテンツ再生装置３の識別情報と、ビデオ用レジューム情報記憶部１９に記憶されている識別情報とを比較することによって、ステップ２５（ＳＴ２５）における操作が前記第２の操作であるか否かの判定を行う。
【０１１３】
そして、この判定の結果、ステップ２５（ＳＴ２５）における操作が前記第２の操作であるとみなされた場合には、ステップ２８（ＳＴ２８）に進み、前記第２の操作であるとみなされなかった場合には、処理を終了する。
【０１１４】
次いで、ステップ２８（ＳＴ２８）においては、レジューム再生制御部１７により、前記ラストコンテンツがビデオコンテンツであるか否かを判定し、ビデオコンテンツである場合には、ステップ２９（ＳＴ２９）に進み、ビデオコンテンツではなくオーディオコンテンツである場合には、ステップ３１（ＳＴ３１）に進む。
【０１１５】
ステップ２９（ＳＴ２９）においては、車載側再生処理部７により、ビデオ用レジューム情報記憶部１９に記憶されたビデオ用レジューム情報を取得し、続くステップ３０（ＳＴ３０）において、当該ビデオ用レジューム情報を用いたビデオコンテンツのレジューム再生を行って処理を終了する。
【０１１６】
一方、ステップ３１（ＳＴ３１）においては、車載側再生処理部７により、携帯側レジューム情報記憶部２０に記憶されたオーディオ用レジューム情報を取得し、続くステップ３２（ＳＴ３２）において、当該オーディオ用レジューム情報を用いたオーディオコンテンツのレジューム再生を行って処理を終了する。
【０１１７】
したがって、本発明によれば、前記ラストコンテンツがビデオコンテンツの場合には、ビデオ用レジューム情報記憶部１９に記憶されたビデオ用レジューム情報を用いてビデオコンテンツのレジューム再生を行うことができ、また、前記ラストコンテンツがオーディオコンテンツの場合には、携帯側レジューム情報記憶部２０から取得されたオーディオ用レジューム情報を用いてオーディオコンテンツのレジューム再生を行うことができるので、コンテンツの続き再生を適切に行うことができる。
【０１１８】
なお、本発明は、前述した実施の形態に限定されるものではなく、必要に応じて種々の変更が可能である。
【０１１９】
例えば、本発明は、車載用コンテンツ再生装置２以外のコンテンツ再生装置（例えば、ＰＣ等の家庭用のコンテンツ再生装置）にも適用可能なものである。
【図面の簡単な説明】
【０１２０】
【図１】本発明に係るコンテンツ再生装置およびコンテンツ再生システムとしての車載用コンテンツ再生装置および車載用コンテンツ再生システムの実施形態を示すブロック図
【図２】車載用コンテンツ再生装置および車載用コンテンツ再生システムの実施形態を示すフローチャート
【図３】従来の車載用コンテンツ再生装置の使用態様を説明するための説明図
【図４】図３の場合における車載用コンテンツ再生装置の処理工程を示すフローチャート
【符号の説明】
【０１２１】
１  車載用コンテンツ再生システム
２  車載用コンテンツ再生装置
３  携帯型コンテンツ再生装置
７  車載側再生処理部
１７  レジューム再生制御部
１９  ビデオ用レジューム情報記憶部
【図１】
2010009688.tif 000003
【図２】
2010009688.tif 000004
【図３】
2010009688.tif 000005
【図４】
2010009688.tif 000006